(57)【要約】【課題】フック部材の着脱作業が容易であるとともに安定して物品を保持することができるラックを提供することを課題とする。【解決手段】貫通孔３ａが形成されたボード３と、ボード３の表面側から貫通孔３ａに掛止されるフック部材４と、を有し、フック部材４に物品を保持可能なラックであって、フック部材４は、ボード３の表面側に延設され物品を保持する保持部１１と、貫通孔３ａよりも上側に延設されボード３の裏面に当接する第一当接部１２と、貫通孔３ａよりも下側に延設されボード３の表面に当接する第二当接部１３と、を有することを特徴とする。【選択図】図３
2013252597.tif 000002
【特許請求の範囲】
【請求項１】
貫通孔が形成されたボードと、
前記ボードの表面側から前記貫通孔に掛止されるフック部材と、を有し、前記フック部材に物品を保持可能なラックであって、
前記フック部材は、
前記ボードの表面側に延設され前記物品を保持する保持部と、
前記貫通孔よりも上側に延設され前記ボードの裏面に当接する第一当接部と、
前記貫通孔よりも下側に延設され前記ボードの表面に当接する第二当接部と、を有することを特徴とするラック。
【請求項２】
前記第二当接部は、前記保持部の軸中心から左右両側に延設されていることを特徴とする請求項１に記載のラック。
【請求項３】
２枚の前記ボードを備えており、
前記ボードの裏面同士が対向するように配置されていることを特徴とする請求項１又は請求項２に記載のラック。
【発明の詳細な説明】
【技術分野】
【０００１】
本発明は、例えば治具や工具等を保持するためのラックに関する。
【背景技術】
【０００２】
特許文献１には、工具を吊り掛けて保持するラックが開示されている。このラックは、複数の貫通孔を備えたボードと、ボードに掛止されるフック部材と、ボードにフック部材を留め付ける留付具とで主に構成されている。フック部材は、ボードに当接する背板と、この背板からボードの表面側に垂直に延設された工具吊掛け棒とを有する。フック部材は、背板とボードとをビス等の留付具で留め付けて固定される。この従来のラックは、複数の貫通孔に対してフック部材を適宜移動させることによって、工具のレイアウトを自由に設定することができる。
【先行技術文献】
【特許文献】
【０００３】
【特許文献１】実用新案登録３０６２７５６号公報
【発明の概要】
【発明が解決しようとする課題】
【０００４】
しかし、従来のラックは、留付具を介してボードにフック部材を固定していたため、フック部材の着脱作業が面倒であった。そのため、利用者の心理的に、工具のレイアウトの自由度を阻害するものであった。
【０００５】
本発明はこのような課題を解決するために創作されたものであり、フック部材の着脱作業が容易であるとともに安定して物品を保持することができるラックを提供することを課題とする。
【課題を解決するための手段】
【０００６】
そこで本発明は、貫通孔が形成されたボードと、前記ボードの表面側から前記貫通孔に掛止されるフック部材と、を有し、前記フック部材に物品を保持可能なラックであって、前記フック部材は、前記ボードの表面側に延設され前記物品を保持する保持部と、前記貫通孔よりも上側に延設され前記ボードの裏面に当接する第一当接部と、前記貫通孔よりも下側に延設され前記ボードの表面に当接する第二当接部と、を有することを特徴とする。
【０００７】
かかる構成によれば、貫通孔に第一当接部を挿入することにより、ボードの裏面に第一当接部が当接するとともに、ボードの表面に第二当接部が当接する。これにより、留付具が無くともボードに対してフック部材を安定して掛止することができる。また、従来のように留付具が不要であるため、フック部材の着脱作業を容易に行うことができる。
【０００８】
また、前記第二当接部は、前記保持部の軸中心から左右両側に延設されていることが好ましい。かかる構成によれば、フック部材とボードの表面とが複数個所で当接するため、より安定して掛止することができる。
【０００９】
また、２枚の前記ボードを備えており、前記ボードの裏面同士が対向するように配置されていることが好ましい。かかる構成によれば、省スペースで多くの物品を保持することができる。
【発明の効果】
【００１０】
本発明のラックによれば、フック部材の着脱作業が容易であるとともに安定して物品を保持することができる。
【図面の簡単な説明】
【００１１】
【図１】本実施形態に係るラックを示す全体斜視図である。
【図２】本実施形態に係るフック部材を示す斜視図である。
【図３】本実施形態に係るフック部材の掛止方法を示す図であって、（ａ）は掛止途中、（ｂ）は掛止後を示す。
【発明を実施するための形態】
【００１２】
本発明の実施形態について図面を参照して詳細に説明する。本実施形態に係るラック１は、図１に示すように、第一ラック１Ａと第二ラック１Ｂとを背中合わせに配置しつつ一体化して構成されている。第一ラック１Ａと第二ラック１Ｂとは同等の構成からなるものであるため、ここでは第一ラック１Ａについて詳細に説明する。
【００１３】
第一ラック１Ａは、一対の支柱部２と、ボード３と、複数のフック部材４とで主に構成されている。第一ラック１Ａは、治具や工具等を保持するための器具である。説明における上下左右前後は、図１の矢印に従う。
【００１４】
支柱部２は、脚部２ａと、脚部２ａから垂直に立設する柱部２ｂとで構成されている。支柱部２は、左右方向に離間して一対設けられている。第一ラック１Ａの支柱部２と第二ラック１Ｂの支柱部２とは連結部２ｃを介して連結されている。
【００１５】
ボード３は、支柱部２，２に支持された板状部材である。ボード３の材料は特に制限されないが、本実施形態では金属製である。ボード３には、等間隔に配置された複数の貫通孔３ａが形成されている。貫通孔３ａは、後記する第一当接部１２が挿通すればどのような形状であってもよい。また、貫通孔３ａの間隔や個数は適宜設定すればよい。
【００１６】
フック部材４は、ボード３に掛止されるとともに、治具Ｇや工具Ｈ等を保持する部材である。フック部材４は、図２に示すように、保持部１１と、第一当接部１２と、第二当接部１３，１３とで構成されている。フック部材４の材料は特に制限されないが、本実施形態では金属製である。
【００１７】
保持部１１は、前後方向に延設された直線状の棒状部材である。保持部１１の先端（前端）には、上方に傾斜する傾斜部１１ａが形成されている。傾斜部１１ａを備えることで、治具Ｇ等が脱落しづらくなっている。
【００１８】
第一当接部１２は、保持部１１に連続し、保持部１１から上方に向けて延設された直線状の棒状部材である。保持部１１及び第一当接部１２は、一の棒状金属部材を折り曲げて湾曲形成されている。保持部１１と第一当接部１２とのなす角度は略垂直か、又は、鈍角となるように形成されている。
【００１９】
第二当接部１３，１３は、保持部１１の後端側から下方に向けて延設された直線状の棒状部材である。第二当接部１３は、本実施形態では保持部１１の中心軸に対して左右両側に一対設けられている。第二当接部１３，１３は、前側から見たときに、上下方向軸に対して同等の開き角度で延設されている。第二当接部１３は、保持部１１に溶接して接合されている。
【００２０】
図３の（ｂ）に示すように、第二当接部１３は、保持部１１と第二当接部１３の接合部１３ａよりも若干後側に傾斜して延設されている。また、接合部１３ａは、保持部１１と第一当接部１２との湾曲点１２ａよりも所定の距離αだけ前側に位置している。距離αは、すくなくともボード３の板厚よりも大きくなっている。保持部１１、第一当接部１２及び第二当接部１３の外径は一定であって、貫通孔３ａの内径よりも若干小さくなっている。
【００２１】
本実施形態では、フック部材４を前記したように構成したが、これに限定されるものではない。例えば、樹脂を用いてフック部材４を一体成形してもよい。
【００２２】
図３に示すように、ボード３にフック部材４を掛止する場合は、まず、第一当接部１２を貫通孔３ａに挿入する。第一当接部１２の根元まで挿入したら保持部１１と第一当接部１２の湾曲部に沿ってフック部材４を下方に傾倒させる。そして、第一当接部１２をボード３の裏面に当接させ、第二当接部１３，１３をボード３の表面に当接させる。「ボードの裏面に当接する第一当接部」とは、本実施形態のように、ボード３の裏面の一部（貫通孔３ａの開口周縁部）に当接することや、第一当接部１２の全体がボード３の裏面に当接することも含む。
【００２３】
なお、フック部材４をボード３から取り外す場合は、取り付ける場合と反対の動作をすればよいため詳細な説明は省略する。
【００２４】
次に、ラック１の使用方法について説明する。
例えば、図１に示すように、ボード３にフック部材４，４を同じ高さで離間した位置に掛止し、フック部材４，４に跨ぐように治具Ｇを配置する。治具Ｇに孔があいている場合は、その孔にフック部材４を挿通させて保持させてもよい（図１の中段参照）。また、例えば、一のフック部材４に工具Ｈを吊り下げて保持させてもよい（図１の下段参照）。
【００２５】
以上説明した本実施形態にかかるラック１によれば、貫通孔３ａに第一当接部１２を挿入することにより、ボード３の裏面に第一当接部１２が当接するとともに、ボード３の表面に第二当接部１３が当接する。これにより、留付具がなくともボード３に対してフック部材４を安定して掛止することができる。また、従来のラックのように留付具が不要であるため、フック部材４の着脱作業を容易に行うことができる。これにより、従来のラックに比べて工具や治具のレイアウトを容易に変更できる。
【００２６】
また、第二当接部１３は、一つの部材で構成してもよいが、本実施形態のように保持部１１の軸中心から左右両側に一対設けることにより、フック部材４を安定して掛止することができる。
【００２７】
また、本実施形態のように第一ラック１Ａのボード３と第二ラック１Ｂのボード３とを裏面同士で対向させるように配置することにより、省スペースで多くの物品を保持することができる。
【００２８】
本発明の実施形態について説明したが、本発明の趣旨に反しない範囲において適宜設計変更が可能である。例えば、本実施形態では二つの第二当接部１３を設けたが、第二当接部１３は一つであってもよいし、三つ以上設けてもよい。また、第二当接部１３は板状部材であってもよい。
【００２９】
また、保持部１１は、本実施形態では棒状としたが後端側が貫通孔３ａに挿入されれば、前端側はどのような形状であってもよい。また、本実施形態では、保持する物品として、治具や工具を例示したが、他の物品を保持させてもよい。
【符号の説明】
【００３０】
１        ラック
１Ａ      第一ラック
１Ｂ      第二ラック
２        支柱部
３        ボード
４        フック部材
１１      保持部
１２      第一当接部
１３      第二当接部
Ｇ        治具
Ｈ        工具
【図１】
2013252597.tif 000003
【図２】
2013252597.tif 000004
【図３】
2013252597.tif 000005